(57)【要約】【課題】画像切り換え装置を少数の回路で構成し、その回路を用途の変化に応じて無駄なく使い分ける。【解決手段】画像切り換え装置の画像加工部は、主回路ブロック５ａ，５ｂ及び６と副回路ブロック５ｄ，５ｅ及び７とを含む。画像切り換え装置の操作部は、主回路ブロック，副回路ブロックの一方のみまたは両方を指定する手段を備えており、主回路ブロックの指定時には、主回路ブロックの動作を指示する信号を送信し、副回路ブロックの指定時には、副回路ブロックの動作を指示する信号を送信し、両方の指定時には、両方の動作を指示する信号を送信する。【選択図】図３
2007166587.tif 000002
【特許請求の範囲】
【請求項１】
入力する複数チャンネルの映像信号の中から映像信号を選択し、出力する映像信号を、選択した或る映像信号から、選択した別の映像信号に切り換える処理を行う画像加工部と、
前記画像加工部を制御する制御部と、
前記制御部に通信路で接続されており、前記画像加工部を動作させるための操作手段が設けられた操作部と
で構成されており、
前記画像加工部は、各々前記処理を行う回路ブロックとして、主回路ブロックと、前記主回路ブロックとは別の副回路ブロックとを含んでおり、
前記操作部は、
前記主回路ブロック，前記副回路ブロックのうちのいずれか一方を動作させるか、前記主回路ブロック及び前記副回路ブロックの両方を動作させるかを指定する指定手段
を備えており、
前記操作部は、前記指定手段により前記主回路ブロックが指定された場合には、前記操作手段の操作に基づき、前記主回路ブロックの動作を指示する信号を前記制御部に送信し、前記指定手段により前記副回路ブロックが指定された場合には、前記操作手段の操作に基づき、前記副回路ブロックの動作を指示する信号を前記制御部に送信し、前記指定手段により前記主回路ブロック及び前記副回路ブロックの両方が指定された場合には、前記操作手段の操作に基づき、前記主回路ブロック及び前記副回路ブロックの両方の動作を指示する信号を前記制御部に送信し、
前記制御部は、前記主回路ブロック，前記副回路ブロックのうち、前記操作部からの信号によって動作を指示された回路を制御する
ことを特徴とする画像切り換え装置。
【請求項２】
請求項１に記載の画像切り換え装置において、
前記副回路ブロックの少なくとも一部の回路は、前記主回路ブロックの一部としても使用される共通回路であり、
前記操作部は、
前記画像加工部の使用モードを標準モードか２分割モードかのいずれかに設定する設定手段
をさらに備えており、
前記指定手段は、前記２分割モード時に指定を行うための手段であり、
前記操作部は、前記標準モード時には、前記操作手段の操作に基づき、前記主回路ブロック及び前記共通回路の動作を指示する信号を前記制御部に送信する
ことを特徴とする画像切り換え装置。
【請求項３】
請求項１に記載の画像切り換え装置において、
前記画像加工部は、複数チャンネルの入力映像信号の中から複数の入力バスでそれぞれ映像信号を選択する入力選択部と、出力する映像を、前記入力選択部で選択した或る映像信号から、前記入力選択部で選択した別の映像信号に切り換える画像合成部とを含んでおり、
前記入力選択部は、２本以上の入力バスが、前記主回路ブロックを構成する主入力バスであるとともに、残りの２本以上の入力バスが、前記副回路ブロックを構成する副入力バスであり、前記副入力バスのうちの１本以上の入力バスが、前記主入力バスの一部としても使用される共通入力バスであり、
前記画像合成部は、
出力する映像を、前記主入力バスで選択した或る映像信号から、前記主入力バスで選択した別の映像信号に切り換える主画像合成部と、
出力する映像を、前記副入力バスで選択した或る映像信号から、前記副入力バスで選択した別の映像信号に切り換える副画像合成部とを含んでおり、
前記主画像合成部が前記主回路ブロックを構成し、前記副画像合成部が前記副回路ブロックを構成する
ことを特徴とする画像切り換え装置。
【請求項４】
請求項１に記載の画像切り換え装置において、
前記操作部に、
前記画像加工部を動作させるための設定を、前記主回路ブロックと前記副回路ブロックとで互いに独立して行うための設定手段
をさらに備えたことを特徴とする画像切り換え装置。
【請求項５】
請求項４に記載の画像切り換え装置において、
前記操作部の前記操作手段は、前記画像加工部で切り換えを行う２つの映像信号の割合を変化させるためのフェーダー・レバーとして、前記２つの映像信号のうちの一方の映像信号の割合と残りの一方の映像信号の割合とを互いに独立して変化させる機能を有するフェーダー・レバーを含んでおり、
前記設定手段は、
前記主回路ブロックを動作させる際に前記フェーダー・レバーの前記機能を実行するか、前記副回路ブロックを動作させる際に前記フェーダー・レバーの前記機能を実行するかを、互いに独立して設定するための手段
を含むことを特徴とする画像切り換え装置。
【請求項６】
請求項４に記載の画像切り換え装置において、
前記操作部の前記操作手段は、前記画像加工部で切り換えを行う２つの映像信号の割合を変化させるためのフェーダー・レバーを含んでおり、
前記画像加工部は、出力する映像信号の切り換え処理の一種として、前記２つの映像信号のうちの一方の映像信号から、所定の色の映像信号に切り換えた後、前記２つの映像信号のうちの残りの一方の映像信号に切り換える処理であるプリセット・カラー・ミックスを実行可能であり、
前記設定手段は、
前記主回路ブロックに前記プリセット・カラー・ミックスを実行させる際に、前記フェーダー・レバーの２ストローク目，１ストローク目のうちのいずれで前記２つの映像信号のうちの残りの一方の映像信号への切り換えを完了するかの設定と、
前記副回路ブロックに前記プリセット・カラー・ミックスを実行させる際に、前記フェーダー・レバーの２ストローク目，１ストローク目のうちのいずれで前記２つの映像信号のうちの残りの一方の映像信号への切り換えを完了するかの設定と
を互いに独立して行うための手段
を含むことを特徴とする画像切り換え装置。
【請求項７】
請求項６に記載の画像切り換え装置において、
前記画像加工部は、選択した映像信号に、複数チャンネルのキー信号のうちのいずれかのチャンネルのキー信号を重畳する処理をさらに行い、
前記設定手段は、
前記主回路ブロックで前記プリセット・カラー・ミックスを実行した映像信号に前記重畳処理を行う際に、前記複数チャンネルのキー信号のうち前記所定の色の映像信号にも重畳するキー信号のチャンネルの設定と、
前記副回路ブロックで前記プリセット・カラー・ミックスを実行した映像信号に前記重畳処理を行う際に、前記複数チャンネルのキー信号のうち前記所定の色の映像信号にも重畳するキー信号のチャンネルの設定と
を互いに独立して行うための手段
さらに含むことを特徴とする画像切り換え装置。
【請求項８】
請求項６に記載の画像切り換え装置において、
前記設定手段は、
前記主回路ブロックが前記プリセット・カラー・ミックスを完了した後に、次に前記主回路ブロックに実行させる切り換え処理の種類を、前記プリセット・カラー・ミックスの直前に前記主回路ブロックに実行させていた切り換え処理に戻すか否かの設定と、
前記副回路ブロックが前記プリセット・カラー・ミックスを完了した後に、次に前記副回路ブロックに実行させる切り換え処理の種類を、前記プリセット・カラー・ミックスの直前に前記副回路ブロックに実行させていた切り換え処理に戻すか否かの設定と
を互いに独立して行うための手段
さらに含むことを特徴とする画像切り換え装置。
【請求項９】
請求項４に記載の画像切り換え装置において、
前記操作部の前記操作手段は、前記画像加工部で切り換えを行う２つの映像信号の割合を変化させるためのフェーダー・レバーを含んでおり、
前記設定手段は、
前記主回路ブロックを動作させる際の前記フェーダー・レバーの移動量と前記２つの映像信号の割合の変化との関係と、前記副回路ブロックを動作させる際の前記フェーダー・レバーの移動量と前記２つの映像信号の割合の変化との関係とを、互いに独立して設定するための手段
を含むことを特徴とする画像切り換え装置。
【請求項１０】
請求項３に記載の画像切り換え装置において、
前記操作部に、
前記主入力バスのうちの特定の第１，第２の主入力バスで選択する映像信号を、それぞれ常に前記主画像加工部での切り換え前の映像信号，切り換え後の映像信号として用いるか、それとも、前記主画像加工部で切り換えが完了する毎に、前記切り換え前の映像信号，切り換え後の映像信号としてそれぞれ前記第１，第２の主入力バスのうちのどちらのバスで選択している映像信号を用いるかを交互に変化させるかの設定と、
前記副入力バスのうちの特定の第１，第２の副入力バスで選択する映像信号を、それぞれ常に前記主画像加工部での切り換え前の映像信号，切り換え後の映像信号として用いるか、それとも、前記副画像加工部で切り換えが完了する毎に、前記切り換え前の映像信号，切り換え後の映像信号としてそれぞれ前記第１，第２の副入力バスのうちのどちらのバスで選択している映像信号を用いるかを交互に変化させるかの設定と
を互いに独立して行うための設定手段
をさらに備えたことを特徴とする画像切り換え装置。
【請求項１１】
請求項１に記載の画像切り換え装置において、
前記画像加工部は、選択した映像信号に、複数チャンネルのキー信号のうちのいずれかのチャンネルのキー信号を重畳する処理をさらに行い、
前記操作部に、
前記主回路ブロック，前記副回路ブロックが選択した映像信号に、それぞれ複数チャンネルのキー信号のうちのどのチャンネルのキー信号を重畳するかの組み合わせを設定する設定手段
をさらに備えたことを特徴とする画像切り換え装置。
【請求項１２】
請求項１１に記載の画像切り換え装置において、
前記画像加工部は、映像信号の出力ラインを複数有しており、
前記設定手段は、キー信号を重畳した各映像信号を、前記出力ラインのうちのどのラインに送るかの設定をさらに行う手段である
ことを特徴とする画像切り換え装置。
【請求項１３】
請求項１１に記載の画像切り換え装置において、
前記操作部に、
前記画像加工部を動作させるための設定状態を、過去の時点に保存された設定状態に復帰させるための操作手段と、
前記操作手段によって復帰させる項目に、前記キー信号の組み合わせの設定を含めるか否かを設定する設定手段と
をさらに備えたことを特徴とする画像切り換え装置。
【請求項１４】
請求項１に記載の画像切り換え装置において、
前記画像加工部は、
映像信号の出力ラインを複数有し、
前記制御部は、
複数の前記出力ラインの中から、
プレビュー用の映像信号を一つ選択する処理をさらに行い、
前記操作部の前記操作手段は、
前記プレビュー用の映像信号を選択するための手段として、前記主回路ブロックが処理した映像信号の中から選択する手段と、前記副回路ブロックが処理した映像信号の中から選択する手段との２つの手段を含むことを特徴とする画像切り換え装置。
【請求項１５】
請求項１に記載の画像切り換え装置において、
前記操作部は、
前記画像加工部の
前記主回路ブロックで切り換えを行う２つの映像信号の割合と、
前記副回路ブロックで切り換えを行う２つの映像信号の割合と
のどちらか一方または両方を変化させるためのフェーダー・レバーと、
前記主回路ブロックの２つの映像信号の割合を表示する専用のインジケータと、
前記副回路ブロックの２つの映像信号の割合を表示する専用のインジケータと
を含むことを特徴とする画像切り換え装置。
【請求項１６】
請求項１に記載の画像切り換え装置において、
前記操作部に、
前記操作手段による操作手順を示すデータを、前記主回路ブロック，前記副回路ブロックのうち該操作が行われたときに前記指定手段によって指定されていたブロックを示すデータとともに記憶する処理手段と、
前記記憶した操作手順による動作を、前記主回路ブロック，前記副回路ブロックのうち前記記憶したブロックに実行させる信号を前記制御部に送信する処理手段と
をさらに備えたことを特徴とする画像切り換え装置。
【請求項１７】
請求項４に記載の画像切り換え装置において、
前記操作部は、
前記主回路ブロック，前記副回路ブロックのうちの一方についての現在の設定状態を残りの一方に対してコピーする操作、及び／または、前記主回路ブロックについての現在の設定状態と前記副回路ブロックについての現在の設定状態とを入れ替える操作を行うための操作手段
をさらに備え、
前記制御部は、
前記主回路ブロックと前記副回路ブロックとで同一の設定を行うことが不可能な設定項目を示すデータを記憶しており、前記操作手段の操作によって前記操作部から送信された信号に基づき、前記不可能な設定項目を除いて、前記コピー及び／または入れ替えを行う
ことを特徴とする画像切り換え装置。
【請求項１８】
請求項１に記載の画像切り換え装置において、
前記操作部の前記操作手段は、前記画像加工部で切り換えを行う２つの映像信号の割合を変化させるためのフェーダー・レバーとして、連結一体化して使用できる２本のフェーダー・レバーを含んでおり、前記２本のフェーダー・レバーを連結一体化せずに分離して使用すると、一方を前記主回路ブロックの２つの映像信号の割合を指示する手段とし、もう一方を前記副回路ブロックの２つの映像信号の割合を指示する手段として互いに独立して操作できることを特徴とする画像切り換え装置。
【請求項１９】
請求項１８に記載の画像切り換え装置において、
前記２本のフェーダー・レバーの分離時の機能を、一方で前記主回路ブロックの２つの映像信号の割合を指示し、もう一方で前記副回路ブロックの２つの映像信号の割合を指示する第１の機能とするか、２つの映像信号を独立制御する第２の機能とするかを設定するフェーダー分離機能設定手段を設け、
前記フェーダー分離機能設定手段によって前記第２の機能に設定とした場合は、
前記２本のフェーダー・レバーを分離して使用すると、前記主回路ブロックまたは前記副回路ブロックのいずれか一方に対して、前記２つの映像信号のうちの一方の映像信号の割合と残りの一方の映像信号の割合とを、分離したフェーダー・レバー各１本ずつによって互いに独立して変化させる
ことを特徴とする画像切り換え装置。
【請求項２０】
入力する複数チャンネルの映像信号の中から映像信号を選択し、出力する映像信号を、選択した或る映像信号から、選択した別の映像信号に切り換える処理を行う画像加工部と、
前記画像加工部を制御する制御部と、
前記制御部に通信路で接続されており、前記画像加工部を動作させるための操作手段が設けられた操作部と
で構成されており、
前記画像加工部は、各々前記処理を行う回路ブロックとして、主回路ブロックと、前記主回路ブロックとは別の副回路ブロックとを含んでおり、前記副回路ブロックの少なくとも一部の回路は、前記主回路ブロックの一部としても使用される共通回路であり、
前記操作部は、
前記主回路ブロック，前記副回路ブロックのうちのいずれか一方を動作させるか、前記主回路ブロック及び前記副回路ブロックの両方を動作させるかを指定する指定手段
を備えた画像切り換え装置における前記画像加工部の制御方法において、
前記操作部が、前記指定手段により前記主回路ブロックが指定された場合には、前記操作手段の操作に基づき、前記主回路ブロックの動作を指示する信号を前記制御部に送信し、前記指定手段により前記副回路ブロックが指定された場合には、前記操作手段の操作に基づき、前記副回路ブロックの動作を指示する信号を前記制御部に送信し、前記指定手段により前記主回路ブロック及び前記副回路ブロックの両方が指定された場合には、前記操作手段の操作に基づき、前記主回路ブロック及び前記副回路ブロックの両方の動作を指示する信号を前記制御部に送信するステップと、
前記制御部が、前記主回路ブロック，前記副回路ブロックのうち、前記操作部からの信号によって動作を指示された回路を制御するステップと
を有することを特徴とする画像切り換え装置の画像加工部の制御方法。
【発明の詳細な説明】
【技術分野】
【０００１】
本発明は、入力する複数チャンネルの映像信号の中から映像信号を切り換えて出力したり、切り換え時に映像信号にエフェクトを施す画像切り換え装置に関し、特に、用途に応じて回路を無駄なく使用できるようにしたものに関する。
【背景技術】
【０００２】
テレビジョン放送等において映像を編集するために使用される業務用の装置の一つに、画像切り換え装置（スイッチャ）が存在する。画像切り換え装置は、複数チャンネルの入力映像信号（ビデオカメラやＶＴＲ等からの映像信号）の中から映像信号を切り換えて出力したり、切り換え時に映像信号にワイプ等のエフェクトを施す装置である。画像切り換え装置の出力映像信号は、番組送出用の機器や映像記録装置やモニター等に送られる。
【０００３】
映像の編集作業では、映像信号を１チャンネルだけ生成することが必要な場合もあれば、映像信号を同時に複数チャンネル生成することが必要な場合もある。それに対応して、画像切り換え装置にも、様々な用途で使用できる機能が要求される。
【０００４】
従来、こうした機能を有する画像切り換え装置としては、図１に示すように、複数の画像加工部５１（５１ａ〜５１ｄ）を設け、１つの画像加工部５１からの出力映像信号を他の画像加工部５１に入力映像信号として再入力させるようにしたものが提案されていた。各画像加工部５１は、それぞれ入力選択部５２と合成処理部５５とを有している。入力選択部５２は、各入力ライン５３ａ〜５３ｊを入力バス５４ａ〜５４ｃのいずれかに接続するマトリクス状の選択スイッチ群を有しており、入力バス５４ａ〜５４ｃでそれぞれ１チャンネルずつの映像信号を選択できる。入力選択部５２で選択された映像信号は、合成処理部５５でワイプやミックス等のエフェクトを施されて、出力端子Outputから出力されるとともに、他の画像加工部５１に入力ライン５３ｇ〜５３ｊから再入力される （例えば、特許文献１参照）。
【０００５】
この画像切り換え装置では、画像加工部５１の入力選択部５２で入力ライン５３ｇ〜５３ｊ（他の画像加工部５１の出力映像信号）を選択することにより、画像加工部５１を複数段直列に接続した状態で使用して、複数段のエフェクトを施した１チャンネルの映像信号を生成（最終段の画像加工部５１の出力端子Outputから出力）することが可能になる。
【０００６】
また、画像加工部５１の入力選択部５２で入力ライン５３ｇ〜５３ｊを選択しないことにより、それぞれエフェクトを施した複数チャンネルの映像信号を生成（各画像加工部５１の出力端子Outputから出力）することが可能になる。
【０００７】
【特許文献１】特開２００４−１５３４８６号公報（段落番号００４８〜００５４、図２）
【発明の開示】
【発明が解決しようとする課題】
【０００８】
ところで、業務用の画像切り換え装置は非常に高価であり、回路の数や回路間の経路を増やすだけでも価格が大きく上がってしまう。そのため、画像切り換え装置には、様々な用途で使用できる機能が要求されるだけでなく、回路の数を少なくして価格を抑えることも要求される。
【０００９】
しかし、上記特許文献１に記載の画像切り換え装置では、単純なエフェクトを施した映像信号を画像加工部５１の数よりも少ないチャンネル（例えば１または２チャンネル）だけ生成するような場合、一部の画像加工部５１だけが使用され、残りの画像加工部５１は全く使用されない。このように、用途によっては使用されない画像加工部５１を設けなければならないので、価格を抑えることが困難であった。
【００１０】
本発明は、上述の点に鑑み、画像切り換え装置を様々な用途で使用できるだけでなく、画像切り換え装置を少数の回路等で構成し、その回路等を用途の変化に応じて無駄なく使い分けることができるようにすることを課題とする。
【課題を解決するための手段】
【００１１】
上記課題を解決するために、本発明に係る画像切り換え装置は、入力する複数チャンネルの映像信号の中から映像信号を選択し、出力する映像信号を、選択した或る映像信号から、選択した別の映像信号に切り換える処理を行う画像加工部と、この画像加工部を制御する制御部と、この制御部に通信路で接続されており、この画像加工部を動作させるための操作手段が設けられた操作部とで構成されており、この画像加工部は、各々この処理を行う回路ブロックとして、主回路ブロックと、この主回路ブロックとは別の副回路ブロックとを含んでおり、この副回路ブロックの少なくとも一部の回路は、この主回路ブロックの一部としても使用される共通回路であり、この操作部は、この主回路ブロック，この副回路ブロックのうちのいずれか一方を動作させるか、この主回路ブロック及びこの副回路ブロックの両方を動作させるかを指定する指定手段を備えており、この操作部は、この指定手段によりこの主回路ブロックが指定された場合には、この操作手段の操作に基づき、この主回路ブロックの動作を指示する信号をこの制御部に送信し、この指定手段によりこの副回路ブロックが指定された場合には、この操作手段の操作に基づき、この副回路ブロックの動作を指示する信号をこの制御部に送信し、この指定手段によりこの主回路ブロック及びこの副回路ブロックの両方が指定された場合には、この操作手段の操作に基づき、この主回路ブロック及びこの副回路ブロックの両方の動作を指示する信号をこの制御部に送信し、この制御部は、この主回路ブロック，この副回路ブロックのうち、この操作部からの信号によって動作を指示された回路を制御することを特徴とする。
【００１２】
また、本発明に係る画像切り換え装置の画像加工部の制御方法は、入力する複数チャンネルの映像信号の中から映像信号を選択し、出力する映像信号を、選択した或る映像信号から、選択した別の映像信号に切り換える処理を行う画像加工部と、この画像加工部を制御する制御部と、この制御部に通信路で接続されており、この画像加工部を動作させるための操作手段が設けられた操作部とで構成されており、この画像加工部は、各々この処理を行う回路ブロックとして、主回路ブロックと、この主回路ブロックとは別の副回路ブロックとを含んでおり、この副回路ブロックの少なくとも一部の回路は、この主回路ブロックの一部としても使用される共通回路であり、この操作部は、この主回路ブロック，この副回路ブロックのうちのいずれか一方を動作させるか、この主回路ブロック及びこの副回路ブロックの両方を動作させるかを指定する指定手段を備えた画像切り換え装置におけるこの画像加工部の制御方法において、この操作部が、この指定手段によりこの主回路ブロックが指定された場合には、この操作手段の操作に基づき、この主回路ブロックの動作を指示する信号をこの制御部に送信し、この指定手段によりこの副回路ブロックが指定された場合には、この操作手段の操作に基づき、この副回路ブロックの動作を指示する信号をこの制御部に送信し、この指定手段によりこの主回路ブロック及びこの副回路ブロックの両方が指定された場合には、この操作手段の操作に基づき、この主回路ブロック及びこの副回路ブロックの両方の動作を指示する信号をこの制御部に送信するステップと、この制御部が、この主回路ブロック，この副回路ブロックのうち、この操作部からの信号によって動作を指示された回路を制御するステップとを有することを特徴とする。
【００１３】
本発明では、画像加工部は、各々入力映像信号の選択及び出力映像信号の切り換え処理を行う回路ブロックとして、主回路ブロック，副回路ブロックという２つのブロックを含んでいる。そして、副回路ブロックの少なくとも一部の回路は、主回路ブロックの一部としても使用される共通回路になっている。
【００１４】
操作部の指定手段では、主回路ブロック，副回路ブロックのうちのいずれか一方を動作させるか、主回路ブロック及び副回路ブロックの両方を動作させるかを指定することが可能である。
【００１５】
主回路ブロックが指定された場合には、操作部は、操作手段の操作に基づき、主回路ブロックの動作を指示する信号を制御部に送信する。そして、制御部が、操作部からのこの信号に基づいて主回路ブロックを制御する。
【００１６】
また、副回路ブロックが指定された場合には、操作部は、操作手段の操作に基づき、副回路ブロック（共通回路を含む）の動作を指示する信号を制御部に送信する。そして、制御部が、操作部からのこの信号に基づいて副回路ブロックを制御する。
【００１７】
したがって、これらの場合には、主回路ブロック及び共通回路を動作させて１チャンネルの映像信号を生成したり、副回路ブロックを動作させて１チャンネルの映像信号を生成することができる。
【００１８】
他方、主回路ブロック及び副回路ブロックの両方が指定された場合には、操作部は、操作手段の操作に基づき、主回路ブロック及び副回路ブロックの両方の動作を指示する信号を制御部に送信する。そして、制御部が、操作部からのこの信号に基づいて主回路ブロック及び副回路ブロックの両方を制御する。
【００１９】
したがって、この場合には、主回路ブロックを動作させて１チャンネルの映像信号を生成するのと同時に、副回路ブロックを動作させて１チャンネルの映像信号を生成することができる。
【００２０】
このように、同じ画像切り換え装置内の１つの画像加工部が、同じ操作部での操作により、主回路ブロック，副回路ブロックのうちの一方のみによって１チャンネルの映像信号を生成する用途と、主回路ブロック及び副回路ブロックの両方によって２チャンネルの映像信号を生成する用途とに使用される。
【００２１】
これにより、画像切り換え装置を様々な用途で使用できるだけでなく、画像切り換え装置を少数の回路等で構成し、その回路等を用途の変化に応じて無駄なく使い分けること（例えば、画像切り換え装置内の限られた数の映像出力ラインを、主回路ブロック側と副回路ブロック側とで共用することなど）ができる。
【発明の効果】
【００２２】
本発明によれば、画像切り換え装置を様々な用途で使用できるだけでなく、画像切り換え装置を少数の回路等で構成し、その回路等を用途の変化に応じて無駄なく使い分けることができるという効果が得られる。
【発明を実施するための最良の形態】
【００２３】
以下、本発明を図面を用いて具体的に説明する。図２は、本発明に係る画像切り換え装置（スイッチャ）の全体構成を示す図である。この画像切り換え装置は、スイッチャ本体１と、コントロールパネル２とで構成されている。
【００２４】
スイッチャ本体１とコントロールパネル２とは、例えばネットワーク（ＬＡＮ）のような通信路５０で接続されている。
【００２５】
スイッチャ本体１内には、画像加工部３と、画像加工部３を制御する制御部４とが設けられている。制御部４は、マイクロコンピュータと通信用のインタフェースとで構成されており、通信路５０を介してコントロールパネル２と通信を行う。
【００２６】
図３は、画像加工部３の回路構成を示す図である。画像加工部３には、入力選択部５，主画像合成部６，副画像合成部７，内部信号発生器８，合成選択部９，キー処理部１１〜１４，合成信号選択切換部１５，カスケードミックス部１６〜２３，出力選択部２４及びプレビュー選択部２６が設けられている。
【００２７】
スイッチャ本体１には、複数チャンネルの映像信号（例えばビデオカメラやＶＴＲ等からの映像信号）が入力ライン１０ａ〜１０ｆから入力される。入力選択部５は、各入力ライン１０ａ〜１０ｆを６本の入力バス５ａ〜５ｆのいずれかに接続するマトリクス状の選択スイッチ群を有しており、入力バス５ａ〜５ｆでそれぞれ１チャンネルずつの映像信号を選択できる。
【００２８】
入力バス５ａ〜５ｆのうちの入力バス５ａ，５ｂ，５ｃは、主入力バス（主入力バス１，主入力バス２，予備の主入力バス）である。
【００２９】
また、入力バス５ａ〜５ｆのうちの入力バス５ｄ，５ｅ，５ｆは、副入力バス（副入力バス１，副入力バス２，予備の副入力バス）である。これらの副入力バスのうちの入力バス５ｄ（副入力バス１）は、主入力バスの一部としても使用される共通入力バスになっている。
【００３０】
主画像合成部６，副画像合成部７は、それぞれ、合成選択部９から後述のようにして供給される２つの映像信号を切り換える（現在の映像信号から次の映像信号に切り換える）際に、ワイプ等のエフェクトを施す回路である。図４に、このエフェクトの具体例を示す。
【００３１】
図４（ａ）は、ワイプを示す。ワイプとは、画面に表示する映像を、左端の画面のように現在の映像信号（文字「Ａ」の集合で表している）のみを表示した状態から、中央の画面のように徐々に次の映像信号（文字「Ｂ」の集合で表している）に入れ替えていき、最終的に、右端の画面のように全て当該次の映像信号に入れ替える処理である。
【００３２】
図４（ｂ）は、ワイプボーダー（Wipe Border）を示す。ワイプボーダーとは、図４（ａ）に示したようなワイプを行う際に、中央の画面のように、現在の映像信号（文字「Ａ」の集合で表している）と次の映像信号（文字「Ｂ」の集合で表している）との間に、別の第３の映像信号（文字「Ｃ」の集合で表している）を挟む処理である。この第３の映像信号は、ワイプボーダーフィル（Wipe Border  Fill）と呼ばれる。
【００３３】
図４（ｃ）は、プリセット・カラー・ミックスを示す。プリセット・カラー・ミックスとは、左端の画面のように現在の映像信号（文字「Ａ」の集合で表している）のみを表示した状態に続き、中央の画面のように、現在の映像信号とも次の映像信号とも異なる所定の単色の映像信号（文字「Ｃ」の集合で表している）のみを表示し、その後、右端の画面のように次の映像信号（文字「Ｂ」の集合で表している）のみを表示する処理である。
【００３４】
図３の内部信号発生器８は、スイッチャ本体１内部で、例えば青色，赤色といったような単色の映像信号または２色を混合した映像信号を、２チャンネル発生する（主内部発生信号，副内部発生信号として出力する）回路である。
【００３５】
スイッチャ本体１には、複数チャンネルのキーソース信号（字幕の文字形状等を表す信号／アルファ），キーフィル信号（文字等の塗りつぶし色情報等を示す映像信号）も、それぞれ入力ライン１０ｇ〜１０ｊ，入力ライン１０ｋ〜１０ｎから入力される。入力ライン１０ｇから入力されたキーソース信号と、入力ライン１０ｋから入力されたキーフィル信号とは、キー処理部１１に供給される。入力ライン１０ｈから入力されたキーソース信号と入力ライン１０ｌから入力されたキーフィル信号とは、キー処理部１２に供給される。入力ライン１０ｉから入力されたキーソース信号と入力ライン１０ｍから入力されたキーフィル信号とは、キー処理部１３に供給される。入力ライン１０jから入力されたキーソース信号と入力ライン１０ｎから入力されたキーフィル信号とは、キー処理部１４に供給される。
【００３６】
キー処理部１１〜１４は、供給されるキーソース信号及びキーフィル信号に対して、画面内の映像に文字等を重畳して表示するためのキー信号として加工処理を施す回路である。
【００３７】
合成選択部９は、主現在出力信号ライン９ａ，主次回出力信号ライン９ｂ，主補完信号ライン９ｃ，副現在出力信号ライン９ｄ，副次回出力信号ライン９ｅ，副補完信号ライン９ｆという６本の出力ラインを有している。
【００３８】
主現在出力信号ライン９ａは、の図４（ａ）〜（ｃ）に文字「Ａ」の集合で表したような現在の映像信号を主画像合成部６に供給するためのラインである。主次回出力信号ライン９ｂは、図４（ａ）〜（ｃ）に文字「Ｂ」の集合で表し示したような次の映像信号を主画像合成部６に供給するためのラインである。主補完信号ライン９ｃは、図４（ｂ）に文字「Ｃ」の集合で表したようなワイプボーダーフィルや、図４（ｃ）に文字「Ｃ」の集合で表したようなプリセット・カラー・ミックス時の単色の映像信号等を主画像合成部６に供給するためのラインである。
【００３９】
副現在出力信号ライン９ｄは、副画像合成部７に現在の映像信号を供給するためのラインである。副次回出力信号ライン９ｅは、副画像合成部７に次の映像信号を供給するためのラインである。副補完信号ライン９ｆは、副画像合成部７にワイプボーダーフィルや単色の映像信号等を供給するためのラインである。
【００４０】
主現在出力信号ライン９ａ，主次回出力信号ライン９ｂは、それぞれ、入力選択部５の入力バス５ａ（主入力バス１）からの映像信号か入力バス５ｂ（主入力バス２）からの映像信号かのいずれかを選択するための選択スイッチを有している。
【００４１】
主補完信号ライン９ｃは、入力選択部５の入力バス５ｄ（共通入力バスである副入力バス１）からの映像信号か内部信号発生器８からの主内部発生信号かのいずれかを選択するための選択スイッチを有している。
【００４２】
副現在出力信号ライン９ｄ，副次回出力信号ライン９ｅは、それぞれ、入力選択部５の入力バス５ｄ（副入力バス１）からの映像信号か入力バス５ｅ（副入力バス２）からの映像信号かのいずれかを選択するための選択スイッチを有している。
【００４３】
副補完信号ライン９ｆは、内部信号発生器８からの副内部発生信号のみを選択するための選択スイッチを有している。
【００４４】
主画像合成部６，副画像合成部７から出力された映像信号（それぞれ主背景画像，副背景画像とも呼ぶことにする）と、キー処理部１１〜１４によって合成された４チャンネルのキー信号とは、合成信号選択切換部１５に供給される。合成信号選択切換部１５は、映像信号（主背景画像または副背景画像）と、当該映像信号に重ねるキー信号との組み合わせを、最大で８組決定するための回路である。
【００４５】
合成信号選択切換部１５によって組み合わせを決定された各組の映像信号及びキー信号は、それぞれ、８系統のカスケードミックス回路１６〜２３のうちのいずれかに供給される。各カスケードミックス回路１６〜２３は、供給された映像信号に、供給されたキー信号を重畳する処理を行う回路である。
【００４６】
図５は、映像信号にキー信号が重畳された状態を例示する図である。この例では、画面右上の“中継画像”という文字を表すキー信号と、画面下側の“紅葉始まる”という文字を表すキー信号との、２つのキー信号が映像信号に重畳されている。
【００４７】
図３に示すように、各カスケードミックス回路１６〜２３によってキー信号を重畳された映像信号は、出力選択部２４に供給される。また、出力選択部２４には、合成選択部９の主現在出力信号ライン９ａ，主次回出力信号ライン９ｂ，副現在出力信号ライン９ｄ，副次回出力信号ライン９ｅで選択された映像信号（すなわち、主画像合成部６が主背景画像を生成するための現在の映像信号及び次の映像信号と、副画像合成部７が副背景画像を生成するための現在の映像信号及び次の映像信号）も、直接供給される。出力選択部２４は、供給されるこれらの映像信号の中から最大６チャンネルの映像信号を選択し、選択した各チャンネルの映像信号をそれぞれ出力ライン２５ａ〜２５ｆのうちのいずれかのラインに送る回路である。
【００４８】
各出力ライン２５ａ〜２５ｆに送られた映像信号は、スイッチャ本体１の外部に出力されるとともに、プレビュー選択部２６に供給される。プレビュー選択部２６は、１本のバスで、出力ライン２５ａ〜２５ｆのうちのいずれか１つのラインの映像信号をプレビュー用の映像信号として選択するための選択スイッチを有している。プレビュー選択部２６で選択された映像信号は、プレビュー用のモニター（図示略）に供給される。
【００４９】
この画像加工部３のうち、入力選択部５の入力バス５ａ，５ｂ，５ｃ（主入力バス１，主入力バス２，予備の主入力バス）と主画像合成部６とが、主回路ブロックに該当する。また、入力選択部５の入力バス５ｄ，５ｅ，５ｆ（副入力バス１，副入力バス２，予備の副入力バス）と副画像合成部７とが副回路ブロックに該当し、そのうちの入力バス５ｄ（副入力バス１）が共通回路に該当する。
【００５０】
図２のコントロールパネル２は、オペレータが、スイッチャ本体１の画像加工部３を動作させたり、画像加工部３を動作させるための設定を行うためのものである。
【００５１】
コントロールパネル２の回路構成の概要を図６に示す。コントロールパネル２には、制御部２７と、操作入力部２８と、ＧＵＩ（グラフィックユーザインタフェース）部２９とが設けられている。制御部２７は、マイクロコンピュータと通信用のインタフェースとで構成されており、図２の通信路５０を介してスイッチャ本体１内の制御部４と通信を行う。
【００５２】
操作入力部２８には、オペレータが実際に画像加工部３を動作させる操作を行うための各種の釦，レバー等が設けられている。図７は、操作入力部２８上の釦等のうち、本発明に関連する部分を略示する図である。
【００５３】
主入力映像選択釦３１は、図３の入力選択部５の入力バス５ａ，５ｂ（主入力バス１，主入力バス２）でそれぞれ映像信号を選択するための複数の押し釦である。
【００５４】
主エフェクト選択釦３２は、図３の主画像合成部６でのエフェクトの種類（図４に示したワイプ等）を選択するための複数の押し釦である。
【００５５】
副入力映像選択釦３３は、入力選択部５の入力バス５ｄ，５ｅ（副入力バス１，副入力バス２）でそれぞれ映像信号を選択するための複数の押し釦である。
【００５６】
副エフェクト選択釦３４は、図３の副画像合成部７でのエフェクトの種類を選択するための複数の押し釦である。
【００５７】
フェーダー・レバー３５は、主画像合成部６や副画像合成部７でエフェクトを施す際に、現在の映像信号と次の映像信号との割合やその割合を変化させる速度を、手動で調整するためのレバーである。
【００５８】
図８は、このフェーダー・レバー３５の部分の外観を詳細に示す図である。フェーダー・レバー３５は、左右に分割された２本のレバー３５ａ及び３５ｂと、連結釦３５ｃとで構成されている。レバー３５ａは、主画像合成部６や副画像合成部７でエフェクトを施す際に、現在の映像信号の割合やその割合を変化させる速度を調整するためのものである。レバー３５ｂは、主画像合成部６や副画像合成部７でエフェクトを施す際に、次の映像信号の割合やその割合を変化させる速度を調整するためのものである。
【００５９】
連結釦３５ｃは、これらのレバー３５ａ及び３５ｂを連結一体化する（同時に動かされる状態にする）かそれとも分離状態にする（別々に動かすことのできる状態にする）かを切換えるための釦であり、釦の軸方向（図の横方向）に押し込むと連結一体化し、再度押すと分離状態となる。これらのレバー３５ａ及び３５ｂを連結一体化して同時に動かすと、図４に例示したように、現在の映像信号の割合が減少するのに対応して、次の映像信号の割合が増加する。
【００６０】
レバー３５ａ及び３５ｂを分離状態にして別々に動かす場合については、後程、ＧＵＩ部２９でのセットアップと関連させて説明する。
【００６１】
フェーダー・レバー３５の左右には、２つのインジケータ４２及び４３が設けられている。これらのインジケータ４２，４３は、それぞれフェーダー・レバー３５の移動量に基づく合成割合をＬＥＤ（発光ダイオード）によって表示するためのものであるが、インジケータ４２は主回路ブロック専用のインジケータであり、インジケータ４３は副回路ブロック専用のインジケータである。
【００６２】
このように、主回路ブロック，副回路ブロックにそれぞれ専用の２つのインジケータ４２，４３を設け、常時それぞれの回路ブロックの状態を表示点灯させることにより、１つのフェーダー・レバー３５で操作を行いながら、主回路ブロック，副回路ブロックの両方の現在の状態、および、いずれが変化しているのか（あるいは両方が変化しているのか）を、オペレータが容易に確認することができる。
【００６３】
図７において、プレビュー選択釦３６は、図３のプレビュー選択部２６でプレビュー用の映像信号を選択するための釦である。プレビュー選択釦は、主回路ブロックのプレビューから選択する釦群（主側）と、副回路ブロックのプレビューから選択する釦群（副側）とに分かれている。後述する標準モード時には、主側の釦群を使用してプレビューを選択できる。また、後述する２分割モード時には、主側の釦群も副側の釦群もどちらも使用可能であり、副側のプレビューも選択できる。主側の釦群と福側の釦群との使い分けについては、後程、ＧＵＩ部２９でのセットアップと関連させて詳述する。
【００６４】
回路ブロック指定釦３８は、後述する２分割モード時に、主回路ブロック，副回路ブロックのうちのいずれか一方を制御するか、主回路ブロック及び副回路ブロックの両方を制御するかを指定するための複数の押し釦である。
【００６５】
回路ブロック指定釦３８で主回路ブロックを指定した場合（後述する標準モード時でも同じである）には、コントロールパネル２内の制御部２７（図６）は、フェーダー・レバー３５の操作に応じて、主画像合成部６での現在の映像信号と次の映像信号との割合を変化させる信号をスイッチャ本体１内の制御部４（図２）に送信する。
【００６６】
また、回路ブロック指定釦３８で副回路ブロックを指定した場合には、制御部２７は、フェーダー・レバー３５の操作に応じて、副画像合成部７での現在の映像信号と次の映像信号との割合を変化させる信号を制御部４に送信する。
【００６７】
また、回路ブロック指定釦３８で主回路ブロック及び副回路ブロックの両方を指定した場合には、制御部２７は、フェーダー・レバー３５の操作に応じて、主画像合成部６，副画像合成部７での現在の映像信号と次の映像信号との割合を同時に変化させる信号を制御部４に送信する。
【００６８】
マクロ釦３９は、マクロ機能用の複数の押し釦及びテンキーである。マクロ機能とは、オペレータが操作入力部２８で行った操作手順を示すデータを、制御部２７（図６）内のメモリに登録しておき、必要に応じてこの操作手順のデータを読み出して、同じ操作手順による動作を自動的に実行させる機能である。
【００６９】
このマクロ機能により、複雑な操作手順を事前に登録しておくことができるので、実際に画像加工部３を動作させる際に、操作の手数を減らしたり操作ミスを防ぐことができる。
【００７０】
操作手順のデータを登録するためのメモリ領域は、マクロレジスタと呼ばれている。マクロレジスタは、例えばレジスタ番号が１番から９９番までの９９個のものが用意されている。マクロ釦３９には、このレジスタ番号を入力するためのテンキーと、テンキーで入力したレジスタ番号のマクロレジスタへの操作手順のデータの登録（マクロの登録）を行うためのマクロ登録釦と、テンキーで入力したレジスタ番号のマクロレジスタから操作手順のデータを読み出してその操作手順による動作を実行させる（マクロを実行させる）ためのマクロ実行釦とが含まれている。
【００７１】
マクロ機能自体は周知の機能であるが、本発明の特徴として、マクロの登録時には、制御部２７は、操作手順中のフェーダー・レバー３５の操作を示すデータを、その時点で回路ブロック指定釦３８によってどの回路ブロックが指定されていたかを示すデータと一緒にマクロレジスタに登録する（例えば回路ブロック指定釦３８によって主回路ブロックが指定されていた場合には、主回路ブロックが指定されていたことを示すデータを登録する。）
【００７２】
そして、マクロの実行時には、制御部２７は、マクロの実行の時点で回路ブロック指定釦３８によってどの回路ブロックが指定されているかとは無関係に、マクロレジスタから読み出した操作手順中のフェーダー・レバー３５の操作を、マクロの登録の時点で回路ブロック指定釦３８によって指定されていた回路ブロックに対する操作であると判断して、画像加工部３を動作させる信号をスイッチャ本体１内の制御部４（図２）に送信する。例えば、マクロの登録の時点で回路ブロック指定釦３８によって主回路ブロックが指定されていた場合には、マクロの実行の時点で回路ブロック指定釦３８によって副回路ブロックが指定されていても、副画像合成部７ではなく主画像合成部６のほうを動作させる信号を、スイッチャ本体１内の制御部４（図２）に送信する。
【００７３】
これにより、回路ブロック指定釦３８による回路ブロックの指定状態がマクロの登録時とマクロの実行時とで相違していても、マクロの登録時の操作手順による動作が忠実に実行される。
【００７４】
図７において、スナップショット釦４０は、スナップショット機能用の釦である。スナップショット機能とは、ＧＵＩ部２９での任意の時点での設定状態（設定項目については後述する）および操作入力部２８で指定した制御の状態をデータとして保存しておき、現在の設定状態を、この保存した過去の時点の設定状態に復帰させる機能である。スナップショット釦４０には、この設定状態の保存ための押し釦（Store釦）と、復帰のための押し釦（Recall釦）とが含まれている。
【００７５】
コピー／スワップ釦４１は、コピー機能やスワップ機能用の釦である。コピー機能は、ＧＵＩ部２９での主回路ブロック，副回路ブロックのうちの一方についての現在の設定状態等の制御の状態を、残りの一方に対してコピーする機能である。スワップ機能は、ＧＵＩ部２９での主回路ブロックについての現在の制御の状態と副回路ブロックについての現在の制御の状態とを互いに入れ替える（スワップする）機能である。コピー／スワップ釦４１には、このコピーのための押し釦と、スワップのための押し釦とが含まれている。このコピー／スワップ釦４１の操作時のコントロールパネル２内の制御部２７の処理については、後程、ＧＵＩ部２９でのセットアップと関連させて説明する。なお、画像加工部３を複数備えたスイッチャの場合には、異なる画像加工部の主回路ブロックまたは副回路ブロックの間でコピーや入れ替えを、同様の方法で実現できる。
【００７６】
図６のＧＵＩ部２９は、オペレータが、実際に画像加工部３を動作させる前に、画像加工部３を動作させるための各種の設定（セットアップ）を行うためのものである。ＧＵＩ部２９は、タッチパネル付きの液晶ディスプレイによって構成されており、この液晶ディスプレイに表示されるＧＵＩ画面上でセットアップを行うようになっている。
【００７７】
図９は、このＧＵＩ部２９でのセットアップの項目の一部を示す図である。以下、個々の項目について説明する。
【００７８】
〔使用モード〕
「使用モード」は、画像加工部３の使用モードを、標準モード，２分割モードのうちのいずれかに設定する項目である。
【００７９】
標準モードとは、画像加工部３の主回路ブロック（図３の入力選択部５の入力バス５ａ，５ｂ（主入力バス１，主入力バス２）及び主画像合成部６）と副回路ブロック（図３の入力選択部５の入力バス５ｄ，５ｅ（副入力バス１，副入力バス２）及び副画像合成部７）とのうち、主回路ブロックを動作させるとともに、共通回路である入力選択部５の入力バス５ｄ（副入力バス１）を主回路ブロックの一部として動作させ、残りの副回路ブロックを動作させないモードである。
【００８０】
他方、２分割モードとは、 主回路ブロックと副回路ブロックとを両方同時に運用させ、 主回路ブロックと副回路ブロックとのうち、操作入力部２８上の回路ブロック指定釦３８（図７）で指定された回路ブロックを操作の制御対象とするモードである。
【００８１】
コントロールパネル２内の制御部２７（図６）は、操作入力部２８での操作に応じた信号をスイッチャ本体１内の制御部４（図２）に送信するが、主入力映像選択釦３１，主エフェクト選択釦３２，副入力映像選択釦３３及び副エフェクト選択釦３４の操作に関しては、この使用モードの設定結果や、２分割モード時の回路ブロック指定釦３８での指定結果に応じて、図１０〜図１４のフローチャートに示すような処理を実行する。
【００８２】
このうち、図１０は、標準モードでの処理を示す。標準モードでは、主入力映像選択釦３１，主エフェクト選択釦３２，副入力映像選択釦３３または副エフェクト選択釦３４でなんらかの新たな操作があった（ステップＳ１）毎に、その操作が、入力映像選択釦３１の操作（すなわち入力バス５ａ，５ｂ（主入力バス１，主入力バス２）についての操作）か、副入力映像選択釦３３での入力バス５ｄ（副入力バス１）についての操作か、または主エフェクト選択釦３２の操作（すなわち主画像合成部６についての操作）であるか否かを判断する（ステップＳ２）。
【００８３】
イエスであれば、その操作内容に応じて入力選択部５の入力バス５ａ，５ｂ，５ｄまたは主画像合成部６の動作を指示する信号を、現在の使用モードや２分割モード時の回路ブロック指定釦３８での現在の回路ブロックの指定状態を示す信号（ここでは、標準モードであることを示す信号）とともに、スイッチャ本体１内の制御部４に送信する（ステップＳ３）。そして、ステップＳ１に戻る。他方、ステップＳ２でノーであれば、制御部４に信号を送信することなく、そのままステップＳ１に戻る。
【００８４】
図１１は、２分割モード時に回路ブロック指定釦３８で主回路ブロックが指定された場合の処理を示す。この場合には、主入力映像選択釦３１，主エフェクト選択釦３２，副入力映像選択釦３３または副エフェクト選択釦３４でなんらかの新たな操作があった（ステップＳ１１）毎に、その操作が、入力映像選択釦３１の操作（すなわち入力バス５ａ，５ｂ（主入力バス１，主入力バス２）についての操作）か、または主エフェクト選択釦３２の操作（すなわち主画像合成部６についての操作）であるか否かを判断する（ステップＳ１２）。
【００８５】
イエスであれば、その操作内容に応じて入力選択部５の入力バス５ａ，５ｂまたは主画像合成部６の動作を指示する信号を、現在の使用モードや２分割モード時の回路ブロック指定釦３８での現在の回路ブロックの指定状態を示す信号（ここでは、２分割モードであって主回路ブロックが指定されていることを示す信号）とともに、スイッチャ本体１内の制御部４に送信する（ステップＳ１３）。そして、ステップＳ１１に戻る。他方、ステップＳ１２でノーであれば、制御部４に信号を送信することなく、そのままステップＳ１１に戻る。
【００８６】
図１２は、２分割モード時に回路ブロック指定釦３８で副回路ブロックが指定された場合の処理を示す。この場合には、主入力映像選択釦３１，主エフェクト選択釦３２，副入力映像選択釦３３または副エフェクト選択釦３４でなんらかの新たな操作があった（ステップＳ２１）毎に、その操作が、副入力映像選択釦３３の操作（すなわち入力バス５ｄ，５ｅ（副入力バス１，副入力バス２）についての操作）か、または副エフェクト選択釦３４の操作（すなわち副画像合成部７についての操作）であるか否かを判断する（ステップＳ２２）。
【００８７】
イエスであれば、その操作内容に応じて入力選択部５の入力バス５ｄ，５ｅまたは副画像合成部７の動作を指示する信号を、現在の使用モードや２分割モード時の回路ブロック指定釦３８での現在の回路ブロックの指定状態を示す信号（ここでは、２分割モードであって副回路ブロックが指定されていることを示す信号）とともに、スイッチャ本体１内の制御部４に送信する（ステップＳ２３）。そして、ステップＳ２１に戻る。他方、ステップＳ２２でノーであれば、制御部４に信号を送信することなく、そのままステップＳ２１に戻る。
【００８８】
図１３は、２分割モード時に回路ブロック指定釦３８で主回路ブロック及び副回路ブロックの両方が指定された場合の処理を示す。この場合には、主入力映像選択釦３１，主エフェクト選択釦３２，副入力映像選択釦３３または副エフェクト選択釦３４でなんらかの新たな操作があった（ステップＳ３１）毎に、その操作内容に応じて入力選択部５，主画像合成部６または副画像合成部７の動作を指示する信号を、現在の使用モードや２分割モード時の回路ブロック指定釦３８での現在の回路ブロックの指定状態を示す信号（ここでは、２分割モードであって主回路ブロック及び副回路ブロックの両方が指定されていることを示す信号）とともに、スイッチャ本体１内の制御部４に送信する（ステップＳ３２）。そして、ステップＳ３１に戻る。
【００８９】
図１４，図１５，図１６，図１７は、スイッチャ本体１内の制御部４が、それぞれ図１０のステップＳ３，図１１のステップＳ１３，図１２のステップＳ２３，図１３のステップＳ３２で送信された信号に基づいて実行する処理を示すフローチャートである。
【００９０】
図１４の処理では、標準モードであることを示す信号に基づき、合成選択部９（図３）の主補完信号ライン９ｃで、入力選択部５の入力バス５ｄ（副入力バス１）からの映像信号を選択する（ステップＳ４１）。そして、動作指示信号に応じて入力選択部５または主画像合成部６を制御して（ステップＳ４２）、処理を終了する。
【００９１】
図１５の処理では、２分割モードであって主回路ブロックが指定されていることを示す信号に基づき、合成選択部９（図３）の主補完信号ライン９ｃで、内部信号発生器８からの主内部発生信号を選択する（ステップＳ５１）。そして、動作指示信号に応じて入力選択部５または主画像合成部６を制御して（ステップＳ５２）、処理を終了する。
【００９２】
図１６の処理では、２分割モードであって副回路ブロックが指定されていることを示す信号に基づき、合成選択部９（図３）の主補完信号ライン９ｃで、内部信号発生器８からの主内部発生信号を選択する（ステップＳ６１）。そして、動作指示信号に応じて入力選択部５または副画像合成部７を制御して（ステップＳ６２）、処理を終了する。
【００９３】
図１７の処理では、２分割モードであって主回路ブロック及び副回路ブロックの両方が指定されていることを示す信号に基づき、合成選択部９の主補完信号ライン９ｃで、内部信号発生器８からの主内部発生信号を選択する（ステップＳ７１）。そして、動作指示信号に応じて入力選択部５，主画像合成部６及び副画像合成部７を制御して（ステップＳ７２）、処理を終了する。
【００９４】
このように、この画像切り換え装置では、使用モードを２分割モードに設定し、且つ、回路ブロック指定釦３８で主回路ブロック，副回路ブロックのいずれか一方を指定した場合には、画像加工部３の主回路ブロックの動作による１チャンネルの映像信号の生成を制御したり、画像加工部３の副回路ブロックの動作による１チャンネルの映像信号の生成を制御することができる。
【００９５】
他方、使用モードを２分割モードに設定し、且つ、回路ブロック指定釦３８で主回路ブロック及び副回路ブロックの両方を指定した場合には、主回路ブロックを動作させて１チャンネルの映像信号を生成するのと同時に、副回路ブロックを動作させて１チャンネルの映像信号を生成することを両方同時に制御できる。
【００９６】
同じ画像切り換え装置内の１つの画像加工部３が、同じコントロールパネル２での操作により、主回路ブロックのみによって１チャンネルの映像信号を生成する用途と、主回路ブロック及び副回路ブロックの両方によって２チャンネルの映像信号を生成する用途とに使用される。そして、この画像加工部３内の同じ回路等（限られた数の出力ライン２５ａ〜２５ｆや、限られた数のキー処理部１１〜１４等）が、主回路ブロック側と副回路ブロック側とで共用される。また、副回路ブロック中の共通回路である入力選択部５の入力バス５ｄも、副回路ブロックとして使用される用途と、主回路ブロックの一部として使用される用途とに共用される、
【００９７】
これにより、画像切り換え装置を様々な用途で使用できるだけでなく、画像切り換え装置を少数の回路等で構成し、その回路等を用途の変化に応じて無駄なく使い分けることができる。
【００９８】
また、標準モード時には、入力バス５ｄ（副入力バス１）からの映像信号が合成選択部９の主補完信号ライン９ｃで選択されて主画像合成部６に供給されるので、この映像信号が主画像合成部６によるワイプボーダー時（図４（ｂ））のワイプボーダーフィル等として用いられる（図１４のステップＳ３１）が、２分割モード時には、入力バス５ｄからの映像信号は主補完信号ライン９ｃで選択されないので主画像合成部６に供給されない（図１６のステップＳ４１，図１７のステップＳ５１）。
【００９９】
これにより、例えば２分割モード時に主回路ブロックに対する操作と副回路ブロックに対する操作とを別々のオペレータが行う（図７の主入力映像選択釦３１と副入力映像選択釦３３とを別々のオペレータが操作する）ような場合に、主回路ブロック側のオペレータが意図しない映像信号（副回路ブロック側のオペレータが選択した映像信号）がワイプボーダーフィル等として用いられてしまうような事態を防止できる。
【０１００】
〔バストグル〕
図９に示したセットアップの項目のうちの「バストグル」は、次に説明するようなバストグルのモードを設定する項目である。
【０１０１】
フェーダー・レバー３５（図７）の操作に基づき、主画像合成部６や副画像合成部７で図４（ａ）〜（ｃ）の右端の画面のように現在の映像信号が完全に次の映像信号に切り換わると、今度は、当該次の映像信号を、新たな現在の映像信号（新たな次の映像信号によって切り換えられる対象の映像信号）とするように、現在の映像信号と次の映像信号とを入れ替えなければならない。そのための方法としては、画像加工部３では次の２つの方法がある。
【０１０２】
(1)入力選択部５のほうで、入力バス５ａ（主入力バス１），入力バス５ｂ（主入力バス２）で選択している映像信号を今度はそれぞれ入力バス５ｂ（主入力バス２），入力バス５ａ（主入力バス１）のほうで選択するように、主入力バス１，主入力バス２で選択している映像信号を互いに入れ替える。（入力バス５ａ，５ｂについて説明したが、入力バス５ｄ，５ｅ（副入力バス１，２）についても同様である。）
【０１０３】
(2)合成選択部９のほうで、主現在出力信号ライン９ａ，主次回出力信号ライン９ｂで選択している映像信号を今度はそれぞれ主次回出力信号ライン９ｂ，主現在出力信号ライン９ａのほうで選択するように、主現在出力信号ライン９ａ，主次回出力信号ライン９ｂで選択している映像信号を互いに入れ替える。（主現在出力信号ライン９ａ，主次回出力信号ライン９ｂについて説明したが、副現在出力信号ライン９ｄ，副次回出力信号ライン９ｅについても同様である。）
【０１０４】
上記(1)の方法では、主入力バス１，主入力バス２のうちの常に同じ入力バスで選択している映像信号が、現在の映像信号として用いられる。また、副入力バス１，副入力バス２のうちの常に同じバスで選択している映像信号が、現在の映像信号として用いられる。
【０１０５】
上記(2)の方法では、現在の映像信号として主入力バス１，主入力バス２のうちのどちらのバスで選択している映像信号を用いるかが、交互に変化する。また、現在の映像信号として副入力バス１，副入力バス２のうちのどちらのバスで選択している映像信号を用いるかが、交互に変化する。
【０１０６】
バストグルは、上記(1)，(2)のうちのいずれの方法を採用するかの設定であり、バストグルのモードをオンに設定すると上記(1)の方法が採用され、バストグルのモードをオフに設定すると上記(2)の方法が採用される。
【０１０７】
ＧＵＩ部２９では、このバストグルのモードの設定を、主回路ブロックである入力バス５ａ，入力バス５ｂ（主入力バス１，主入力バス２）と、副回路ブロックである入力バス５ｄ，入力バス５ｅ（副入力バス１，副入力バス２）とで、互いに独立して行うようになっている。
【０１０８】
コントロールパネル２内の制御部２７は、主回路ブロック，副回路ブロック毎のこのバストグルの設定結果を示す信号を、スイッチャ本体１内の制御部４に送信する。
【０１０９】
スイッチャ本体１内の制御部４は、この信号に基づき、主画像合成部６で現在の映像信号が完全に次の映像信号に切り換えられた場合と、副画像合成部７で現在の映像信号が完全に次の映像信号に切り換えられた場合とで、互いに独立して、現在の映像信号と次の映像信号との入れ替えを行う。
【０１１０】
図１８は、制御部４がこのバストグルのモードの設定に関連して実行する処理を、主回路ブロックについて示すフローチャートである。コントロールパネル２内の制御部２７から、フェーダー値（フェーダー・レバー３５の移動量）を示す信号を受信する（ステップＳ８１）毎に、受信したフェーダ値が最大値（現在の映像信号から次の映像信号に完全に切り換わる値）であるか否かを判断する（ステップＳ８２）。
【０１１１】
ノーであれば、そのフェーダ値に応じて、主画像合成部６での現在の映像信号と次の映像信号との割合を制御する（ステップＳ８３）。そして処理を終了する。
【０１１２】
ステップＳ８２でイエスであれば、主回路ブロックについてのバストグルのモードがオンであるか否かを判断する（ステップＳ８４）。
【０１１３】
イエスであれば、上記方法(1)として説明したように、入力選択部５の入力バス５ａ（主入力バス１），入力バス５ｂ（主入力バス２）で選択している映像信号を互いに入れ替える（ステップＳ８５）。そして処理を終了する。
【０１１４】
ステップＳ８４でノーであれば、上記方法(2)として説明したように、合成選択部９の主現在出力信号ライン９ａ，主次回出力信号ライン９ｂで選択している映像信号を互いに入れ替える（ステップＳ８６）。そして処理を終了する。
【０１１５】
なお、２分割モード時の副回路ブロックについては、制御部４は、ステップＳ８３の部分での制御対象を副画像合成部７に置き換え、ステップＳ８４の部分での判断対象を副回路ブロックについてのバストグルのモードの設定結果に置き換え、ステップＳ８５の部分での制御対象を入力バス５ｄ，５ｅ（副入力バス１，２）に置き換え、ステップＳ８６の部分での制御対象を副現在出力信号ライン９ｄ，副次回出力信号ライン９ｅに置き換えて、図１８に示したのと同様な処理を実行する。
【０１１６】
このように、バストグルのモードを主回路ブロックと副回路ブロックとで互いに独立して設定することにより、例えば２分割モード時に主回路ブロックに対する操作と副回路ブロックに対する操作とを別々のオペレータが行う（図７の主入力映像選択釦３１と副入力映像選択釦３３とを別々のオペレータが操作する）ような場合に、一方のオペレータが、他方のオペレータによる設定結果によって２本の入力バス（主回路ブロック側では主入力バス１及び主入力バス２、副回路ブロック側では副入力バス１及び副入力バス２）のうちのどちらの入力バスが現在の映像信号を選択しているのかを把握できなくなくなるような事態を防止できる。
【０１１７】
〔スプリット・フェーダー・イネーブル〕
図９に示したセットアップ項目のうちの「スプリット・フェーダー・イネーブル」は、セットアップ項目「バストグル」でバストグルのモードをオフに設定したときに、図８に示したフェーダー・レバー３５のレバー３５ａとレバー３５ｂとを連結釦３５ｃで分離にして別々に動かす操作（現在の映像信号の割合と次の映像信号の割合とを互いに独立して調整する操作）を有効にするか否かを設定する項目である。
【０１１８】
この操作を有効に設定すれば、例えばレバー３５ａとレバー３５ｂとを互いに反対側の端に振り切ることにより、現在の映像信号の割合と次の映像信号の割合とをいずれも０％にすること（真っ黒な画像を表示すること）や、現在の映像信号の割合と次の映像信号の割合とをいずれも１００％にすること（現在の映像信号と次の映像信号とが完全に合成された画像を表示すること）が可能になる。
【０１１９】
ＧＵＩ部２９では、このスプリット・フェーダー・イネーブルの設定も、主回路ブロックである主画像合成部６と、副回路ブロックである副画像合成部７とで、互いに独立して行うようになっている。
【０１２０】
例えば、主回路ブロックについてこの操作を有効に設定したが、副回路ブロックについてこの操作を有効に設定しなかった場合、コントロールパネル２内の制御部２７は、回路ブロック指定釦３８で主回路ブロックが指定されているときには、レバー３５ａ，レバー３５ｂのそれぞれの移動量に応じて主画像合成部６で現在の映像信号，次の映像信号の割合を変化させる信号をスイッチャ本体１内の制御部４に送信するが、回路ブロック指定釦３８で副回路ブロックが指定されているときには、レバー３５ａ，レバー３５ｂが物理的に別々に動かされてもレバー３５ａのみの移動量に応じて制御部４に信号を送信する。
【０１２１】
〔プリセット・カラー・ミックス〕
図９に示したセットアップ項目のうちの「プリセット・カラー・ミックス」は、次のような設定を行う項目である。これらの項目の設定も、主回路ブロックと副回路ブロックとで互いに独立して行うようになっている。
【０１２２】
(1)エフェクトの種類として図４（ｃ）に例示したプリセット・カラー・ミックスを選択（主回路ブロックについては、図７の主エフェクト選択釦３２で選択、副回路ブロックについては、図７の副エフェクト選択釦３４で選択）した場合に、フェーダー・レバー３５の１ストローク（一方の端から他方の端までの移動），２ストローク（一方の端から他方の端まで移動させた後、再び元の端にまで移動させる）のうちのいずれで次の映像信号への切り換えを完了するかの設定（１ストロークの場合、フェーダー・レバー３５を真中に移動させたときに単色の映像信号に切り換わり、２ストロークの場合、フェーダー・レバー３５を他方の端に移動させたときに単色の映像信号に切り換わる。）
【０１２３】
(2)プリセット・カラー・ミックスを選択した場合であって、映像信号にキー信号を重畳する際に、図３のキー処理部１１〜１４からの４チャンネルのキー信号のうち、単色の映像信号にも重畳するキー信号のチャンネルの設定
【０１２４】
(3)プリセット・カラー・ミックスを完了した後、次に実行させるエフェクト（主回路ブロックについては、主画像合成部６に実行させるエフェクト、副回路ブロックについては、副画像合成部７に実行させるエフェクト）の種類を、プリセット・カラー・ミックスの直前に実行させていたエフェクトに戻すか否かの設定（すなわち、プリセット・カラー・ミックスは一度だけ実行させるか否かの設定）
【０１２５】
〔フェーダー・カーブ〕
図９に示したセットアップの項目のうちの「フェーダー・カーブ」は、フェーダー・レバー３５（図７）の実際の移動量と、現在の映像信号・次の映像信号の割合との関係を、線形な（比例した）関係にするか、非線形な関係にするかの設定を行う項目である。このフェーダー・カーブの設定も、主回路ブロックである主画像合成部６と、副回路ブロックである副画像合成部７とで、互いに独立して行うようになっている。
【０１２６】
図１９は、このフェーダー・カーブの設定によるフェーダー・レバー３５の移動量と現在の映像信号，次の映像信号の割合とを示す図である。このうち、図１９（ａ）は、線形に設定した場合の図であり、図１９（ｂ）は非線形に設定した場合の図の一例（フェーダー・レバー３５を或る程度移動させるまではほとんど画像が切り換わらず、その後急激に画像が切り換わる例）を示す図である。
【０１２７】
〔背景とキー信号の組合せ・出力〕
図９に示したセットアップの項目のうちの「背景とキー信号の組合せ・出力」は、次のような設定を行う項目である。
【０１２８】
(1)図３の主画像合成部６，副画像合成部７から出力された映像信号（主背景画像，副背景画像）に、キー処理部１１〜１４からの４チャンネルのキー信号のうちのどのキー信号を重畳するかの組み合わせの設定
【０１２９】
(2)上記(1)の設定に基づいてキー信号を重畳した主背景画像，副背景画像や、図３の合成選択部９の主現在出力信号ライン９ａ，主次回出力信号ライン９ｂ，副現在出力信号ライン９ｄ，副次回出力信号ライン９ｅからで直接供給される映像信号（主背景画像を生成するための現在の映像信号及び次の映像信号と、副背景画像を生成するための現在の映像信号及び次の映像信号）のうち、どの映像信号を図３の出力ライン２５ａ〜２５ｆのうちのどのラインに送るかの設定
【０１３０】
このうちの(1)の設定では、図３のカスケードミックス回路１６〜２３の系統数（８系統）に合わせて、主背景画像または副背景画像とキー信号との組み合わせを最大で８組設定可能になっている。そして、各組の組み合わせでは、複数のキー信号を組み合わせること（例えば、主背景画像にキー処理部１１及び１２からのキー信号を組み合わせること）が可能になっている。また、或る組において主背景画像に組み合わせるキー信号と同じキー信号を、別の組において副背景画像に組み合わせること（例えば、或る組では主背景画像にキー処理部１１からのキー信号を組み合わせ、別の組では副背景画像にキー処理部１１からのキー信号を組み合わせること）も可能になっている。
【０１３１】
また、上記(2)の設定では、同じ映像信号を、出力ライン２５ａ〜２５ｆのうちの２以上のラインに送ることも設定可能になっている。
【０１３２】
コントロールパネル２内の制御部２７は、上記(1)及び(2)の設定結果を示す信号を、スイッチャ本体１内の制御部４に送信する。
【０１３３】
スイッチャ本体１内の制御部４は、上記(1)の設定結果を示す信号に基づいて合成信号選択切換部１５及びカスケードミックス回路１６〜２３を制御するとともに、上記(2)の設定結果を示す信号に基づいて出力選択部２４を制御する。
【０１３４】
この「背景とキー信号の組合せ・出力」の設定を行うことにより、限られた数の出力ライン２５ａ〜２５ｆからどのような映像信号（キー信号を重畳した主背景画像または副背景画像や、プレビュー用の映像信号等）を出力するかを、容易にカスタマイズすることができるとともに、画像加工部３の使用態様（標準モードか２分割モードか、２分割モードにどの回路ブロックの動作を回路ブロック指定釦３８で指定するか）に応じて柔軟にカスタマイズすることができる。
【０１３５】
ここで、図８に示したプレビュー選択釦３６の主側の釦群と福側の釦群との使い分けについて説明する。上記(2)の設定により、各出力ライン２５ａ〜２５ｆにそれぞれどのような映像信号が送られるが決まるが、標準モード時には、入力選択部５の入力バス５ｅ（副入力バス２）や副画像合成部７は動作せず、入力バス５ｄ（副入力バス１）も主回路ブロックの一部として動作するので、副背景画像や、副背景画像を生成するための現在の映像信号及び次の映像信号は、出力ライン２５ａ〜２５ｆに送られない。一方、２分割モード時には、主回路ブロックも副回路ブロックも動作するので、主背景画像も副背景画像も、出力ライン２５ａ〜２５ｆに送られ得る。
【０１３６】
プレビュー選択釦３６の主側の釦群は、標準モード時や、２分割モード時の主回路ブロックのプレビュー用の映像信号の種類（例えば、次の映像信号）を選択するための釦である。
【０１３７】
プレビュー選択釦３６の副側の釦群は、２分割モード時の副回路ブロックのプレビュー用の映像信号の種類を選択するための釦である。
【０１３８】
コントロールパネル２内の制御部２７は、標準モード時ではプレビュー選択釦３６の副側の釦群は無視して主側の釦群での選択結果のみをスイッチャ本体１内の制御部４に送信し、それ以外の場合、プレビュー選択釦３６の主側の釦群及び副側の釦群での選択結果をスイッチャ本体１内の制御部４に送信する。制御部４は、この信号に基づいて上記(2)の設定を参照し、指定された側の指定された種類の信号を選択するように、プレビュー選択部２６（図３）を制御する。」
【０１３９】
これにより、主回路ブロック、副回路ブロックそれぞれの回路ブロックに属する指定されたプレビュー用の映像信号（切り換え完了後に出力される映像であって、切り換えの種類に応じて様々な映像）をプレビュー用のモニターに表示することができる。
【０１４０】
〔スナップショット〕
図９に示したセットアップの項目のうちの「スナップショット」は、図７のスナップショット釦４０によってＧＵＩ部２９での過去の時点の設定状態への復帰操作が行われたときに、復帰させるセットアップ項目に、図９のセットアップ項目のうちの「使用モード」や「背景とキー信号の組み合わせ・出力」を含めるか否かを設定する項目である。
【０１４１】
コントロールパネル２内の制御部２７は、スナップショット釦４０による復帰操作が行われたときには、「使用モード」，「背景とキー信号の組み合わせ・出力」以外のセットアップ項目の設定状態と、「使用モード」，「背景とキー信号の組み合わせ・出力」のうちこのスナップショットの設定によって復帰させる項目に含められた項目の設定状態とを、ＧＵＩ部２９での過去の時点（スナップショット釦４０での保存操作時）の設定状態に復帰させる。
【０１４２】
これにより、オペレータは、「使用モード」や「背景とキー信号の組み合わせ・出力」の設定を、ＧＵＩ部２９のみで行う（スナップショット釦４０によって設定を変更させない）か否かを任意に選択することができる。
【０１４３】
ＧＵＩ部２９では、図９に示した項目以外にも、画像加工部３を動作させるための様々な項目のセットアップを行うために用いられる。そして、それらの項目には、図９に示した「バストグル」，「スプリット・フェーダー・イネーブル」，「プリセット・カラー・ミックス」，「フェーダー・カーブ」や、さらには、主画像合成部６，副画像合成部７のそれぞれについての設定や、内部信号発生器８が出力する主内部発生信号，副内部発生信号のそれぞれについての設定等のように、主回路ブロック側と副回路ブロック側とで互いに独立して設定が行われるものが存在する。
【０１４４】
図７のコピー／スワップ釦４１は、この主回路ブロック，副回路ブロックのうちの一方についての現在の設定状態を残りの一方に対してコピーしたり、主回路ブロックについての現在の設定状態と副回路ブロックについての現在の設定状態とを入れ替える（スワップする）ための釦である。
【０１４５】
しかし、各種のセットアップ項目の中には、主画像合成部６と副画像合成部７とのハードウェアとしてのスペックの相違や、内部信号発生器８が出力可能な主内部発生信号と副内部発生信号との相違（例えば、主内部発生信号としては単色の映像信号，２色を混合した映像信号のうちのいずれかを選択可能であるが、副内部発生信号は単色の映像信号のみであるといったような相違）から、そのまま主回路ブロックと副回路ブロックとの間で設定状態のコピーや入れ替えを行うことが物理的に不可能なものも存在する。他の例として、エフェクト選択の選択肢が、主側と副側でハードウェアの違いにより、副側の方が少ない種類の場合がある。
【０１４６】
コントロールパネル２内の制御部２７は、このようにそのままコピーや入れ替えを行うことが物理的に不可能なセットアップ項目を予め内部のメモリに記憶しており、コピー／スワップ釦４１でコピー操作，スワップ操作が行われると、この記憶した項目以外の項目についての設定状態のみのコピー，入れ替えを行う。あるいは、エフェクト選択の選択肢の数が違うような場合、主側と副側で共通の選択肢が選ばれている場合はそれをコピー／スワップし、共通でない選択肢が選ばれている場合は、（適用不可能であるから）コピー／スワップしない。
【０１４７】
これにより、オペレータは、主回路ブロック側と副回路ブロック側とのスペック等の相違を意識することなくコピー操作やスワップ操作を行って、物理的にコピーや入れ替えが可能な設定状態のみをコピーしたり入れ替えることができる。
【０１４８】
次に、以上に説明した各種の機能（マクロ機能，スナップショット，コピー／スワップ等）以外にこの画像切り換え装置に搭載することが望ましい機能として、デフォルトリコール及びリンクについて説明する。
【０１４９】
〔デフォルトリコール〕
デフォルトリコールとは、全てのセットアップ項目の設定状態を、所定の初期設定状態（例えば工場出荷時の設定状態）に復帰させる機能である。この画像切り換え装置では、主回路ブロックと副回路ブロックとを別々に動作させるので、初期設定状態への復帰も、主回路ブロックと副回路ブロックとで別々に行えるようにすることが望ましい。
【０１５０】
しかし、コントロールパネル２の操作入力部２８に主回路ブロック用のデフォルトリコール釦と副回路ブロック用のデフォルトリコール釦とを別々に設けたとすると、普段あまり使用する機会のない機能の釦のために、限られた広さのパネル面のスペースを余分に占有してしまうことになる。
【０１５１】
そこで、例えば放送局内においてこの画像切り換え装置と隣接して設置される別の装置のほうにデフォルトリコール釦を設け、そのデフォルトリコール釦を操作するのと同時に、図７の回路ブロック指定釦３８で、初期設定状態に復帰させたい回路ブロック（主回路ブロック，副回路ブロックのうちの一方または主回路ブロック及び副回路ブロックの両方）を指定する操作を行うことにより、コントロールパネル２内の制御部２７が、その指定された回路ブロックを初期設定状態に復帰させる処理を行うようにすることが望ましい。
【０１５２】
それにより、操作入力部２８に新たな釦を設けることなく、回路ブロック指定釦３８を利用してデフォルトリコールを実現することができるようになる。
【０１５３】
〔リンク〕
リンクとは、一般には、２台の画像切り換え装置の間で、一方の画像切り換え装置を操作して動作させる（現在の映像信号を次の映像信号合を切り換えたり、キー信号を重畳させたりする）際に、残りの一方の画像切り換え装置にも同じ動作を連携（リンク）して行わせる機能である。しかし、ここでは、操作入力部２８を操作して主回路ブロック，副回路ブロックとうちの一方の回路ブロックを動作させる際に、残りの一方の回路ブロックにも同じ動作を行わせることを指す。
【０１５４】
主回路ブロック，副回路ブロックのうちどちらをリンク先（連携して動作させるほう）にするかの設定や、どの動作をリンクさせるか（主画像合成部６や副画像合成部７での映像信号の切り換えか、主背景画像や副背景画像へのカスケードミックス回路１６〜２３でのキー信号の重畳か）の設定は、ＧＵＩ画面２９でのセットアップ項目に含めるようにするとよい。
【０１５５】
しかし、セットアップ項目〔背景とキー信号の組合せ・出力〕の箇所で説明したように、主背景画像，副背景画像に重畳させるキー信号の組み合わせは、それぞれ任意に設定可能になっている。そのため、主背景画像に対しては重畳するキー信号の組み合わせ（例えばキー処理部１１〜１４からの４つのキー信号）が存在するが、副背景画像に対しては重畳するキー信号の組み合わせが存在しない場合もある。
【０１５６】
そうした場合、ＧＵＩ画面２９でのリンクの設定においては、キー信号の重畳動作のリンク先を主回路ブロックとする設定（副背景画像にキー信号を重畳させないのに連携して主背景画像にもキー信号を重畳させないようにする設定）はできるが、副回路ブロックをリンク先とする設定（主背景画像にキー信号を重畳させるのに連携して主背景画像にも同じキー信号を重畳させるようにする設定）はできない（設定操作をしても、コントロールパネル２内の制御部２７が設定を拒否する）ようにすることが望ましい。
【０１５７】
また例えば、主背景画像に対して重畳するキー信号の組み合わせと、副背景画像に対して重畳するキー信号の組み合わせとが全く同じになっている（例えば両方ともキー処理部１１及び１２からの２つのキー信号である）場合もある。
【０１５８】
そうした場合、キー信号の重畳動作についてのリンク先の設定しなくても、主背景画像と副背景画像とに同じキー信号が重畳されるので、ＧＵＩ画面２９でのリンクの設定においては、キー信号の重畳動作についてのリンクの設定を行えない（設定操作をしても、コントロールパネル２内の制御部２７が設定を拒否する）ようにすることが望ましい。
【０１５９】
最後に、以上に説明した画像切り換え装置の構成や機能に対する変更例として、操作入力部２８上の釦等の変更例と、フェーダー分離機能の設定とについて説明する。
【０１６０】
〔操作入力部２８上の釦等の変更例〕
図７の例では、操作入力部２８上の釦等のうち、フェーダー・レバー３５は主回路ブロック側と副回路ブロック側とで共有になっているが、入力映像を選択する釦やエフェクトの種類を選択する釦は、主回路ブロック側と副回路ブロック側とで別々の釦（主入力映像選択釦３１と副入力映像選択釦３３、主エフェクト選択釦３２と副入力映像選択釦３３）になっている。しかし、別の例として、この入力映像選択釦やエフェクト選択釦も、主回路ブロック側と副回路ブロック側とで共有にしてもよい。
【０１６１】
図２０は、こうした共通の入力映像選択釦４４及びエフェクト選択釦４５を設けた例を示した図である（フェーダー・レバー３５及び釦３６，３８〜４１は、図７に示したのと同一のものである）。この入力映像選択釦４４及びエフェクト選択釦４５は、回路ブロック指定釦３８での指定に応じて、主回路ブロック側，副回路ブロック側のいずれかを制御する信号を送信する。
【０１６２】
まず、入力映像選択釦４４について説明する。標準モード時には、入力映像選択釦４４は、図３の入力選択部５の入力バス５ａ，５ｂ（主入力バス１，主入力バス２）および５ｄ（副入力バス１）で、それぞれ映像信号を選択する機能を有する。（コントロールパネル２内の制御部２７（図６）は、該当信号をスイッチャ本体１内の制御部４に送信する。）釦列「入力バス１」が５ａの映像信号を選択する機能を有し、釦列「入力バス２」が５ｂの映像信号を選択する機能を有し、釦列「補間バス」が５ｄの映像信号を選択する機能を有する。
【０１６３】
２分割モード時に回路ブロック指定釦３８で主回路ブロックを指定した場合には、入力映像選択釦４４は、図３の入力選択部５の入力バス５ａ，５ｂ（主入力バス１，主入力バス２）で、それぞれ映像信号を選択する機能を有する。釦列「入力バス１」が５ａの映像信号を選択する機能を有し、釦列「入力バス２」が５ｂの映像信号を選択する機能を有する。釦列「補間バス」は、この場合は機能を持たず、押下しても何も起きない。
【０１６４】
２分割モード時に回路ブロック指定釦３８で副回路ブロックを指定した場合には、入力映像選択釦４４は、図３の入力選択部５の入力バス５ｄ，５ｅ（副入力バス１，副入力バス２）で、それぞれ映像信号を選択する機能を有する。釦列「入力バス１」が５ｄの映像信号を選択する機能を有し、釦列「入力バス２」が５ｅの映像信号を選択する機能を有する。釦列「補間バス」は、この場合は機能を持たず、押下しても何も起きない。
【０１６５】
また、回路ブロック指定釦３８で主回路ブロック及び副回路ブロックの両方を指定した場合には、入力映像選択釦４４については、主回路ブロックのみが指定された場合と同様に動作する。すなわち、図３の入力選択部５の入力バス５ａ，５ｂ（主入力バス１，主入力バス２）で、それぞれ映像信号を選択する機能を有する。
【０１６６】
次に、エフェクト選択釦４５について説明する。標準モード時には、エフェクト選択釦４５は、図３の主画像合成部６でのエフェクトの種類（図４に示したワイプ等）を選択するための複数の押し釦である。
【０１６７】
２分割モード時に回路ブロック指定釦３８で主回路ブロックを指定した場合、および回路ブロック指定釦３８で主回路ブロック及び副回路ブロックの両方を指定した場合には、エフェクト選択釦４５は、図３の主画像合成部６でのエフェクトの種類（図４に示したワイプ等）を選択する機能を有する。
【０１６８】
２分割モード時に回路ブロック指定釦３８で副回路ブロックを指定した場合には、エフェクト選択釦４５は、図３の副画像合成部７でのエフェクトの種類を選択する機能を有する。
【０１６９】
操作入力部２８をこの図２０の構成とする場合、制御部２７は、マクロの登録時に、フェーダー・レバー３５のみではなく、入力映像選択釦４４やエフェクト選択釦４５の操作を記憶する際にも、回路ブロック指定釦３８によってどの回路ブロックが指定されていたかを示すデータを一緒にマクロレジスタに登録する。そして、マクロの実行時には、制御部２７は、マクロの実行の時点で回路ブロック指定釦３８によってどの回路ブロックが指定されているかとは無関係に、マクロレジスタから読み出した操作手順中の入力映像選択釦４４やエフェクト選択釦４５の操作を、マクロの登録の時点で回路ブロック指定釦３８によって指定されていた回路ブロックに対する操作である判断して、画像加工部３を動作させる信号をスイッチャ本体１内の制御部４（図２）に送信する。
【０１７０】
〔フェーダー分離機能の設定〕
以上の〔スプリット・フェーダー・イネーブル〕欄での説明では、図８のレバー３５ａとレバー３５ｂとを分離して使用する場合、制御対象は主画像合成部６か副画像合成部７のいずれか一方であり、レバー３５ａが現在の映像信号の割合を、レバー３５ｂが次の映像信号の割合を指示するために使用された。これに加えて、制御部２７にフェーダー分離機能の設定を設けると、上記のように２つの映像信号（現在の映像信号及び次の映像信号）の割合を独立して制御するモード（「映像独立制御モード」と呼ぶことにする）と、主画像合成部６と副画像合成部７との両方に対して同時に２つの映像信号の割合を指示できるモード（「主副指示モード」と呼ぶことにする）との、どちらかを選択することが可能になる。
【０１７１】
２分割モードで運用する際に、この主副指示モードに設定されると、レバー３５ａを操作して主画像合成部６の２つの映像信号の割合を制御し、同時にレバー３５ｂを操作して副画像合成部７の２つの映像信号の割合を制御することができる。また、この状態でレバー３５ａとレバー３５ｂとを連結釦３５ｃで連結一体化すると、主画像合成部６と副画像合成部７に、常に同じ割合を指示することが可能となる。このようにして、同じレバー３５ａ及びレバー３５ｂを、用途に応じて使い分けることが出来る。また、フェーダー分離機能の設定を設けることで、用途に応じて、フェーダー・レバー３５の分離時の動作を変更することができ、経済的に操作性を改善することが出来る。
【０１７２】
なお、以上の例では、画像加工部３の入力選択部５の副入力バスのうちの入力バス５ｄ（副入力バス１）が、主入力バスの一部としても使用される共通入力バスになっている。しかし、別の例として、入力バス５ｄだけでなく入力バス５ｅ（副入力バス２）のほうも共通入力バスとして使用するようにしてもよい。以上の例で示した以外に、主側、副側の片方のみに回路を追加しても良い。 例えば、キー処理に関する回路を片側に追加したり、信号発生器を片側にのみ追加したりしても、本発明を適用することが出来る。」
【０１７３】
また、図３に示した入力選択部５の入力バスの本数や映像信号入力ラインの数やキー処理部の数や映像信号出力ラインの数はあくまで一例であり、これとは異なる数の入力バスや映像信号入力ラインやキー処理部や映像信号出力ラインを有する画像切り換え装置にも本発明を適用してよいことはもちろんである。
【図面の簡単な説明】
【０１７４】
【図１】従来の画像切り換え装置の構成例を示す図である。
【図２】本発明に係る画像切り換え装置の全体構成を示す図である。
【図３】図２の画像加工部の回路構成を示す図である。
【図４】図３の主画像合成部，副画像合成部が施すエフェクトの具体例を示す図である。
【図５】キー信号の重畳の例を示す図である。
【図６】図２のコントロールパネルの回路構成を示す図である。
【図７】図６の操作入力部上の釦等を示す図である。
【図８】図７のフェーダー・レバーの外観の詳細を示す図である。
【図９】図６のＧＵＩ部でのセットアップの項目を示す図である。
【図１０】標準モードでのコントロールパネルの制御部の処理を示すフローチャートである。
【図１１】２分割モード時のコントロールパネルの制御部の処理を示すフローチャートである。
【図１２】２分割モード時のコントロールパネルの制御部の処理を示すフローチャートである。
【図１３】２分割モード時のコントロールパネルの制御部の処理を示すフローチャートである。
【図１４】標準モードでのスイッチャ本体の制御部の処理を示すフローチャートである。
【図１５】２分割モード時のスイッチャ本体の制御部の処理を示すフローチャートである。
【図１６】２分割モード時のスイッチャ本体の制御部の処理を示すフローチャートである。
【図１７】２分割モード時のスイッチャ本体の制御部の処理を示すフローチャートである。
【図１８】バストグルのモードに関連するスイッチャ本体の制御部の処理を示すフローチャートである。
【図１９】フェーダー・カーブの設定例を示す図である。
【図２０】図６の操作入力部上の釦等の別の例を示す図である。
【符号の説明】
【０１７５】
１  スイッチャ本体、  ２  コントロールパネル、  ３  画像加工部、  ４  制御部、  ５  入力選択部、  ５ａ  主入力バス１、  ５ｂ  主入力バス２、  ５ｄ  副入力バス１、  ５ｅ  副入力バス２、  ６  主画像合成部、  ７  副画像合成部、    ９  合成選択部、  １１〜１４  キー処理部、  １５  合成信号選択切換部１５、  １６〜２３  カスケードミックス部、  ２４  出力選択部、  ２７  制御部、  ２８  操作入力部、  ２９  ＧＵＩ部、  ３１  主入力映像選択釦、  ３３  副入力映像選択釦、  ３５  フェーダー・レバー、  ３８  回路ブロック指定釦
【図１】
2007166587.tif 000003
【図２】
2007166587.tif 000004
【図３】
2007166587.tif 000005
【図４】
2007166587.tif 000006
【図５】
2007166587.tif 000007
【図６】
2007166587.tif 000008
【図７】
2007166587.tif 000009
【図８】
2007166587.tif 000010
【図９】
2007166587.tif 000011
【図１０】
2007166587.tif 000012
【図１１】
2007166587.tif 000013
【図１２】
2007166587.tif 000014
【図１３】
2007166587.tif 000015
【図１４】
2007166587.tif 000016
【図１５】
2007166587.tif 000017
【図１６】
2007166587.tif 000018
【図１７】
2007166587.tif 000019
【図１８】
2007166587.tif 000020
【図１９】
2007166587.tif 000021
【図２０】
2007166587.tif 000022